(57)【特許請求の範囲】
【請求項１】
天井室内に設置され、室内機本体外郭部材の内部にケーシング、室内ファン、室内側熱交換器及びドレンパンを備えた天井カセット形エアコンの室内機において、前記室内側熱交換器の片端側には冷媒配管継ぎ手を固定する継ぎ手固定部材を配置し、前記継ぎ手固定部材は下部を宙吊り状態にして前記室内機本体外郭部材に接触することなく前記ケーシングに固定したことを特徴とする天井カセット形エアコンの室内機。
【請求項２】
天井室内に設置され、室内機本体外郭部材の内部にケーシング、室内ファン、室内側熱交換器及びドレンパンを備えた天井カセット形エアコンの室内機において、前記室内側熱交換器の片端側には冷媒配管継ぎ手を固定する継ぎ手固定部材を配置し、これら冷媒配管継ぎ手及び継ぎ手固定部材の下方には下部を宙吊り状態にしてドレン受け部材を配置するとともに該下部の先端は前記ドレンパンに重なり代を持ち、前記ドレン受け部材を固定するドレン受け固定部材を前記ドレン受け部材上方を完全に覆うよう該ドレン受け部材の即上に設けたことを特徴とする天井カセット形エアコンの室内機。
【請求項３】
前記冷媒配管継ぎ手に接続される延長配管を覆う断熱材を固定するための断熱材固定バンドを設け、前記断熱材固定バンドを前記ドレン受け部材の上方に設けたことを特徴とする請求項２記載の天井カセット形エアコンの室内機。
【請求項４】
前記ドレン受け固定部材に前記断熱材固定バンドを設けたことを特徴とする請求項３記載の天井カセット形エアコンの室内機。
【請求項５】
前記ドレン受け固定部材に延長配管の断熱材の配置位置を表示したことを特徴とする請求項２記載の天井カセット形エアコンの室内機。
【請求項６】
前記ドレン受け固定部材に延長配管の断熱材を固定するための断熱固定バンドを設け、この断熱材固定バンドまで前記ドレン受け部材を延長したことを特徴とする請求項２記載の天井カセット形エアコンの室内機。
【請求項７】
前記ドレン受け部材のドレンを受ける底面をドレンパン側が低くなるよう傾斜させたことを特徴とする請求項２記載の天井カセット形エアコンの室内機。
【請求項８】
前記ドレン受け部材端部に前記冷媒配管継ぎ手と接続される延長配管を収納する切り欠きを形成したことを特徴とする請求項２記載の天井カセット形エアコンの室内機。
【請求項９】
前記延長配管の断熱材の径が変わった場合に対応するよう前記ドレン受け部材の切り欠きにスリットを設けたことを特徴とする請求項８記載の天井カセット形エアコンの室内機。
【請求項１０】
前記ドレン受け部材のある面に室内機の吊りボルトを配置したことを特徴とする請求項２記載の天井カセット形エアコンの室内機。
【請求項１１】
前記ドレン受け固定部材のある面に室内機の吊りボルトを配置したことを特徴とする請求項３記載の天井カセット形エアコンの室内機。
【請求項１２】
前記ケーシングは前記継ぎ手固定部材との固定部位に突座面を設けたことを特徴とする請求項１記載の天井カセット形エアコンの室内機。
【請求項１３】
前記ケーシングは前記継ぎ手固定部材との固定部位直上部が室内機本体外郭部材に接触しないよう構成したことを特徴とする請求項１記載の天井カセット形エアコンの室内機。
【請求項１４】
前記継ぎ手固定部材は継ぎ手の直上以外で前記ケーシングにねじ止め固定されることを特徴とする請求項１記載の天井カセット形エアコンの室内機。
【発明の詳細な説明】
【０００１】
【発明の属する技術分野】
この発明は、天井カセット形エアコンの室内機に係わり、特に据付性の向上を図るものである。
【０００２】
【従来の技術】
天井にあけた穴を介して天井室内に埋め込まれ吊られた天井カセット形エアコンの室内機は、例えば図９及び図１０、図１１の実開昭５９−６７７１７公報に示されるものがある。
図に於いて、１は天井カセット形エアコンの室内機であり、４はその外郭部材である。室内機１の内部には室内側熱交換器２が設けてあると共に室内ファン３（図示せず）が備えられる。５は熱交換器２の下部に設けたドレンパンである。
【０００３】
この室内機１は、吊りボルト８により建物構造物に吊り下げられる。７は遮蔽板であり対向する２個の熱交換器２を一体化してある。この熱交換器２、２の両端部に設けた遮蔽板７、７の一方の遮蔽板７にはその中間部には冷媒配管継ぎ手１０の突出寸法に合わせ、凹部９を形成させ、この凹部９に冷媒配管継ぎ手１０をねじ１１を介して固定させてある。凹部９の上方には外郭部材４から屋根形状１７が形成されている。またドレンパン５も遮蔽板７の凹部９に沿ってくぼみ部１２を形成してある。１５は遮蔽板７の下端とドレンパン５との間に介在させたゴム等から成るシール部材で、このシール部材１５には冷媒配管継ぎ手１０の下方部分にドレン受け部材１６を設けてある。
【０００４】
【発明が解決しようとする課題】
従来の天井カセット形エアコンの室内機は以上のように構成されているので、以下に説明する解決すべき問題点があった。
第１に、冷媒配管継ぎ手１０を固定する遮蔽板７は、冷房運転時冷媒の熱影響をまともに受けこの遮蔽板７に接触固定されているドレン受け部材１６も同様に冷やされ結露し易く、さらにドレンパン５のそこ部まで到達していることから、流れ落ち溜まったドレン水の熱影響までうける悪い部品構成であった。
第２に、冷媒配管継ぎ手１０を固定する遮蔽板７は室内機１の外郭部材４に接触固定されており、前記冷房時の熱影響が遮蔽板７を伝導し外郭部材４に至る。外郭部材４下部にはドレンパン５は配置されておらず露たれを余儀なくされる。
【０００５】
第３に、屋根形状１７とドレン受け部材１６から成る延長配管２１の接続スペースは、接続後も開放状態であり天井室内の埃がドレン受け部材１６に堆積し露の流れを堰き止め室内機１外へ露たれを起こす。
第４に、冷媒配管継ぎ手１０に接続される延長配管の断熱材とドレン受け部材１６との位置関係が定まらず作業バラツキにより断熱材がドレン受け部材１６の投影面内から外れる場合もあり、又、正規位置に断熱材を配置したとしても断熱材を固定する手段がないため、経年変化による断熱材の収縮によりドレン受け部材１６より外れ露たれに至る。
第５に、吊りボルト８位置が冷媒配管継ぎ手１０と別の室内機１外面あるため、各々の作業スペースが必要となる。
【０００６】
この発明は上記のような課題を解決するためになされたもので、露たれの影響を防止しながら延長配管の据付性が向上する天井カセット形エアコンの室内機を得ることを目的とする。
【０００７】
【課題を解決するための手段】
この発明に係わる天井カセット形エアコンの室内機は、天井室内に設置され、室内機本体外郭部材の内部にケーシング、室内ファン、室内側熱交換器及びドレンパンを備えた天井カセット形エアコンの室内機において、前記室内側熱交換器の片端側には冷媒配管継ぎ手を固持する継ぎ手固定部材を配置し、前記継ぎ手固定部材は下部を宙吊り状態にして前記室内機本体外郭部材に接触することなく前記ケーシングに固定したものである。
【０００８】
また、天井室内に設置され、室内機本体外郭部材の内部にケーシング、室内ファン、室内側熱交換器及びドレンパンを備えた天井カセット形エアコンの室内機において、前記室内側熱交換器の片端側には冷媒配管継ぎ手を固定する継ぎ手固定部材を配置し、これら冷媒配管継ぎ手及び継ぎ手固定部材の下方には下部を宙吊り状態にしてドレン受け部材を配置するとともに該下部の先端は前記ドレンパンに重なり代を持ち、前記ドレン受け部材を固定するドレン受け固定部材を前記ドレン受け部材上方を完全に覆うよう該ドレン受け部材の即上に設けたものである。
【０００９】
また、前記冷媒配管継ぎ手に接続される延長配管を覆う断熱材を固定するための断熱材固定バンドを設け、前記断熱材固定バンドを前記ドレン受け部材の上方に設けたものである。
【００１２】
また、前記ドレン受け固定部材に前記断熱材固定バンドを設けたものである。
【００１３】
また、前記ドレン受け固定部材に延長配管の断熱材の配置位置を表示したものである。
【００１４】
また、前記ドレン受け固定部材に延長配管の断熱材を固定するための断熱材固定バンドを設け、この断熱材固定バンドまで前記ドレン受け部材を延設したものである。
【００１５】
また、前記ドレン受け部材のドレンを受ける底面をドレンパン側が低くなるよう傾斜させたものである。
【００１６】
また、前記ドレン受け部材端部に前記冷媒配管継ぎ手と接続される延長配管を収納する切り欠きを形成したものである。
【００１７】
また、前記延長配管の断熱材の径が変わった場合に対応するよう前記ドレン受け部材の切り欠きにスリットを設けたものである。
【００１８】
また、前記ドレン受け部材のある面に室内機の吊りボルトを配置したものである。
【００１９】
また、前記ドレン受け固定部材のある面に室内機の吊りボルトを配置したものである。
【００２０】
また、前記ケーシングは前記継ぎ手固定部材との固定部位に突座面を設けたものである。
【００２１】
また、前記ケーシングは前記継ぎ手固定部材との固定部位直上部が室内機本体外郭部材に接触しないよう構成したものである。
【００２２】
また、前記継ぎ手固定部材は継ぎ手の直上以外で前記ケーシングにねじ止め固定されるものである。
【００２３】
【発明の実施の形態】
実施の形態１．
以下、この発明の天井カセット形エアコンの室内機の具体的な実施の形態の一例について、図面を参照して詳細に説明する。
図１は、本発明の実施の形態１における室内機の天井室内に埋め込まれ吊られた状態を示す斜視図である。
図２は、図１の分解斜視図である。図３は、図１に示すＺ−Ｚ断面である。前記、従来の技術との相当部分は同一番号をふり説明は省略する。
【００２４】
図１、２、３に示すように、天井カセット形エアコンの室内機１の内部には、Ｖ字型の熱交換器２が所定の間隔を保ち対向して２個配置され、その片端側に冷媒配管継ぎ手１０を固持する継ぎ手固定部材１８を設け、この継ぎ手固定部材１８は室内機外郭部材４に接触することなく継ぎ手固定部材１８の下部を宙吊りの状態で、室内機１本体内の風路を形成するケーシング１９の片端にねじ止め部２９を介しねじ止めされる。
【００２５】
すなわち、冷媒配管継ぎ手１０を固定せしめた継ぎ手固定部材１８はケーシング１９との接触のみで、その他継ぎ手固定部材１８を取り巻く部品との接触は無い。ケーシング１９はもともと熱交換器２等が固定される部材であり、熱交換器２においても露付きが発生することから、結露部材の固定に適したケーシング１９に継ぎ手固定部材１８を固定することで、構成の複雑化などを防止できる。
熱交換器２，２も同様に熱交換機２の下部を宙吊り状態とした状態で上部をケーシング１９に固定される。
【００２６】
前記、冷媒配管継ぎ手１０と継ぎ手固定部材１８の下部には、冷媒配管継ぎ手１０と継ぎ手固定部材１８及び、延長配管２１の断熱材２２の覆われていない露出部分から流れ落ちる露を受ける為の、ドレン受け部材１６が下部を宙吊り状態とした状態で配置され、その先端はドレンパン５に重なり代を持つように配置される。ドレン受け部材１６のドレンを受ける内側部にはドレン水の熱伝導をドレン受け部材１６に伝えないために断熱材３０が設けられ、さらにドレンパン５側に低くなるよう傾斜２５が形成されている。
ドレン受け部材１６の上部には、固定バンド２３が配置され、ドレン受け部材１６の端面には延長配管を収納するＵ字状の切り欠き２６が形成されており、上端は後述する鈍連受け固定部材２０にネジ止め固定される係合部となっている。
【００２７】
２０はドレン受け部材１６の上部を完全に覆い、室内機１から突出して配置されたドレン受け固定部材である。このドレン受け固定部材２０には、延長配管２１の断熱材２２を固定するための断熱材固定バンド２３が固定される。
室内機１は吊りボルト８により建物構造物に吊り下げられるが、ドレン受け部材１６及びドレン受け固定部材２０と同一の室内機１側面に吊りボルト８が配置され、作業スペースの共有化を図っている。
熱交換器２、ドレン受け部材１６、継ぎ手固定部材１８、固定バンド２３は、決められた一方向（本実施の形態では下方から上方）からのねじ固定で止められており、リサイクルする際の分解性に優れており、リサイクル性が向上する。
【００２８】
上記のように構成された室内機においては、冷媒配管継ぎ手１０が継ぎ手固定部材１８に固持されているため、冷媒配管継ぎ手１０と延長配管２１の接続作業を従来のダブルスパナ作業からシングルスパナ作業とすることが可能になる。継ぎ手固定部材１８は熱交換器２が固定されるケーシング１９にネジ止め固定され、室内機外郭部材４には接触しないので、継ぎ手固定部材１８からの熱伝導によって室内機外郭部材４が冷却されて結露することを防止できる。
【００２９】
また、ケーシング１９はもともと熱交換器２を固定するものであるから、下方にドレンパン５が設置され、ドレンの回収が可能な構造となっている。従って、継ぎ手固定部材１８をケーシング１９に固定することによるケーシング１９の特別なドレン回収構成を必要としない。
【００３０】
しかも冷媒配管継ぎ手１０及び継ぎ手固定部材１８から滴下するドレンは、ドレン受け部材１６にて確実に捕獲できるので、冷媒配管継ぎ手１０と延長配管２１との接続部を断熱材で覆う作業を不要にできる。ドレン受け部材１６は下部を宙吊り状態にし、その先端がドレンパン５の上方に重なり代を有しているので、ドレン受け部材１６に滴下したドレンはドレン受け部材１６の傾斜を伝ってドレンパン５へと回収される。その際、ドレン受け１６は宙吊り状態なので、ドレンパン５に溜まった冷たいドレンによってドレン受け部材１６が冷やされることを防止し、ドレン受け部材１６自体の結露を防ぐことができる。
【００３１】
また、このドレン受け部材１６はドレン受け固定部材２０にネジ止め固定され、室内機外郭部材４には接触しないので、ドレン受け部材１６からの熱伝導によって室内機外郭部材４が冷却されて結露することを防止できる。ドレン受け固定部材２０は断熱性に優れているか或いは伝熱性の低い材質で形成され、室内機外郭部材４に固定されている。
【００３２】
また、ドレン受け部材１６、ドレン受け固定部材２０共延長配管２１に断熱材２２を固定する固定バンド２３までをも覆う突出長であり、特にドレン受け固定部材２０に固定バンド２３が固定されていることから、経年変化によっても確実に断熱材部分までを覆うことができる。また、固定バンド２３からの熱伝導が室内機外郭部材４に及ぶのを防止できる。ドレン受け固定部材２０の突出寸法はドレン受け部材１６の突出寸法に略等しい。また、ドレン受け部材１６はドレン受け固定部材２０に固定された状態で、Ｕ字状の切り欠き部２６を除いて延長配管２２を覆うので、ドレン受け部材１６にほこり等が堆積するのを防止できる。
【００３３】
実施の形態２．
以下、この天井カセット形エアコンの具体的な実施の形態の他の例について、図面を参照して説明する。
図４は、実施の形態２におけるドレン受け固定部材２０を示す斜視図であり、本実施の形態はドレン受け固定部材２０に延長配管２１の断熱材２２の配置位置を示す表示２４を設けたものである。その他の構成は実施の形態１と同様であり、その説明を省略する。
【００３４】
次に動作について説明する。延長配管２１を冷媒配管継ぎ手１０に接続する作業においては、先ず延長配管２１を冷媒配管継ぎ手１０に接続固定する。継ぎ手固定部材１８はケーシング１９に固定されているので、接続作業はシングルスパナで行なえる。延長配管２１には接続前でも後でも良いが断熱材２２が巻き付けられ、巻き付けられた断熱材２１は断熱材固定バンド２３（図４ではまだ取り付けられていないが、図２のようにドレン受け固定部材２０に取り付け固定されている）によって保持される。
【００３５】
断熱材２１を断熱材固定バンド２３に固定するに当たっては、ドレン受け固定部材２０の表示２４に従って、断熱材２１の端面を表示２４の線の位置に合せる。このようにして取付け固定した結果、断熱材は確実にドレン受け部材１６上に位置するので、断熱材２１が途絶える延長配管２１と冷媒配管継ぎ手１０との接続部付近で発生するドレンは確実にドレン受け部材１６に滴下し、ドレンパン５へと回収されていく。
【００３６】
実施の形態３．
以下、この天井カセット形エアコンの具体的な実施の形態の他の例について、図面を参照して説明する。
図５は、実施の形態３におけるドレン受け部材１６を示す正面図であり、本実施の形態はドレン受け部材１６の端部には延長配管２１の断熱材２２にあたる部位にＵ字形の切り欠き２６を設けたもので、そのＵ字形切り欠き２６の外周には延長配管２１の断熱材２２の径が変わった場合に対応できるようにＵ字形のスリット２７が形成される。その他の構成は実施の形態１と同様であり、説明を省略する。
【００３７】
延長配管の接続工事を行なう際、通常はドレン受け部材１６のスリット２７はそのままにして断熱材２２で覆われた延長配管２１がＵ字状の切り欠き２６へ収納される。この状態ではＵ字状の切り欠き２６と断熱材２２との隙間が小さいか殆どないので、ドレン受け固定部材２０の蓋としての機能とによりドレン受け部材１６内へのほこりの進入を防止できる。
【００３８】
また、断熱材２２の厚みが厚くそのままではＵ字状の切り欠き２６へ収まらない場合には、スリット２７から切り欠き２６側の部分を取り外し切り欠き２６を大きくすることで簡単に対応できる。ドレン受け部材１６は室内機１とは別体の構成部品なので、空調能力の異なる室内機１に対して共通的に使用することで量産効果によるコスト低減が期待できる。ドレン受け部材１６にこのようなスリット２７を形成しておけば、延長配管の配管径が異なるエアコンに対してもドレン受け部材１６を共通化できる範囲が広がる。
【００３９】
実施の形態４．
以下、この天井カセット形エアコンの具体的な実施の形態の他の例について、図面を参照して説明する。
図６は、実施の形態４におけるケーシング１９と継ぎ手固定部材１８の固定部の拡大斜視図であり、本実施の形態は、継ぎ手固定部材１８のねじ止め部２９の裏側のみケーシング１９から突座面２８を設け継ぎ手固定部材１８とケーシング１９との接触範囲を最小限にしたものである。その他の構成は実施の形態１と同様であり、その説明を省略する。
【００４０】
継ぎ手固定部材１８をケーシング１９に固定するには、継ぎ手固定部材１８上部の折曲部に穿設されたネジ穴とケーシング１９の下面に形成された突座面２８とを合わせ、下方からネジを挿入して螺合する。この結果継ぎ手固定部材１８とケーシング１９との接点は突座面２８部分のみとなり、接触面積が小さいので、継ぎ手固定部材１８とケーシングとの間の熱伝導の影響を小さくできる。この結果熱伝導による結露の発生を抑えることができる。
【００４１】
実施の形態５．
以下、この天井カセット形エアコンの具体的な実施の形態の他の例について、図面を参照して説明する。
図７は、実施の形態５における図１のＺ−Ｚ断面の他の実施の形態であり、ケーシング１９において継ぎ手固定部材１８のねじ止め部２９の直上部は室内機外郭部材４にケーシング１９を接触させないようにしケーシング１９からの熱伝導を室内機外郭部材４に伝導しにくくするものである。その他の構成は実施の形態１と同様であり、その説明を省略する。
【００４２】
延長配管２１及び冷媒配管継ぎ手１０には冷媒は通過するため、冷媒の温度によっては結露が発生する温度にまで低下する。継ぎ手固定部材１８はケーシング１９に固定され、室内機外郭部材４には接しないので、室内機外郭部材４への熱伝導の影響はないが、ケーシング１９は何らかの形で室内機外郭部材４に固定されることになる。そこで、継ぎ手固定部材１８が固定される部分の周囲となる継ぎ手固定部材１８固定部の直上のケーシング１９部分が室内機外郭部材４と接触しないようにすれば、継ぎ手固定部材１８からケーシング１９を介して室内機外郭部材４までの距離が長くなり、継ぎ手固定部材１８による熱の影響を受け難くなる。この場合ケーシング１９は例えば室内機１のより中央寄りや、継ぎ手固定部材１８が存する面と異なる側面などで室内機外郭部材４に固定される。
【００４３】
実施の形態６．
以下、この天井カセット形エアコンの具体的な実施の形態の他の例について、図面を参照して説明する。
図８は、実施の形態６における図１のＹ方から見た実施の形態であり、ケーシング１９に継ぎ手固定部材１８を固定する部位に於いて冷媒配管継ぎ手１０の直上以外で継ぎ手固定部材１８のねじ止めを行うもので組み付け作業性の改善が図れる。その他の構成は実施の形態１と同様であり、その説明を省略する。
【００４４】
天井カセット型エアコンの室内機は天井室内に埋め込まれるようにして取り付けられる。従って、取付け作業等は室内側即ち室内機下方側からの作業となる。継ぎ手固定部材１８をケーシング１９に固定するに当たって、継ぎ手固定部材１８には冷媒配管継ぎ手１０が突設されている。従って、冷媒配管継ぎ手１０の真上に継ぎ手固定部材１８とケーシング１９との固定手段があると下方からの作業は極めてやりづらくなるが、本実施の形態の構成によれば、継ぎ手肯定部材１８の上部を折曲させ、ここに冷媒配管継ぎ手１０と水平方向にずらしてネジ穴を形成してあるので、下方から容易にドライバを使ってネジ止めできる。
【００４５】
【発明の効果】
以上のように、本発明に係わる天井カセット形エアコンの室内機は、天井室内に設置され、室内機本体外郭部材の内部にケーシング、室内ファン、室内側熱交換器及びドレンパンを備えた天井カセット形エアコンの室内機において、前記室内側熱交換器の片端側には冷媒配管継ぎ手を固持する継ぎ手固定部材を配置し、前記継ぎ手固定部材は下部を宙吊り状態にして前記室内機本体外郭部材に接触することなく前記ケーシングに固定したので、室内機本体外郭部材への熱伝導をなくして室内機本体外郭部材の結露の発生を防止できる効果が得られる。
【００４６】
また、天井室内に設置され、室内機本体外郭部材の内部にケーシング、室内ファン、室内側熱交換器及びドレンパンを備えた天井カセット形エアコンの室内機において、前記室内側熱交換器の片端側には冷媒配管継ぎ手を固定する継ぎ手固定部材を配置し、これら冷媒配管継ぎ手及び継ぎ手固定部材の下方には下部を宙吊り状態にしてドレン受け部材を配置するとともに該下部の先端は前記ドレンパンに重なり代を持ち、前記ドレン受け部材を固定するドレン受け固定部材を前記ドレン受け部材上方を完全に覆うよう該ドレン受け部材の即上に設けたので、継ぎ手固定部材やドレンパンに溜まったドレン水の熱影響を受けず、ドレン受け部材の結露発生を防止しながら確実にドレンパンにドレンを流すことが可能となり、さらにドレン受け部材から室内機本体外郭部材への熱伝導をなくして室内機本体外郭部材の結露の発生を防止でき、天井室内の埃がドレン受け部材に入るのを防止できる効果が得られる。
【００４７】
また、前記冷媒配管継ぎ手に接続される延長配管を覆う断熱材を固定するための断熱材固定バンドを設け、前記断熱材固定バンドを前記ドレン受け部材の上方に設けたので、断熱材固定バンド締め付け部の断熱材圧縮による断熱性能低下からくる結露もドレン受け部材で回収できる効果が得られる。
【００５０】
また、前記ドレン受け固定部材に前記断熱材固定バンドを設けたので、延長配管の断熱材が確実に固定でき、作業バラツキにより断熱材がドレン受け部材から外れることを防止できると共に、断熱材の経年変化による断熱材の収縮によりドレン受け部材より外れることを防止できる効果が得られる。
【００５１】
また、前記ドレン受け固定部材に延長配管の断熱材の配置位置を表示したので、より一層延長配管の断熱材の配置位置を明確に出来、作業効率を向上できる効果が得られる。
【００５２】
また、前記ドレン受け固定部材に延長配管の断熱材を固定するための断熱材固定バンドを設け、この断熱材固定バンドまで前記ドレン受け部材を延設したので、断熱材固定バンド締め付け部の断熱材圧縮による断熱性能低下からくる結露もドレン受け部材で回収できる効果が得られる。
【００５３】
また、前記ドレン受け部材のドレンを受ける底面をドレンパン側が低くなるよう傾斜させたので、ドレンをドレン受け部材内に溜めることなく速やかにドレンパン内に流すことが出来、ドレン受け部材の結露を防止できる効果が得られる。
【００５４】
また、前記ドレン受け部材端部に前記冷媒配管継ぎ手と接続される延長配管を収納する切り欠きを形成したので、ドレン受け部材と延長配管の断熱材間で出来る隙間が減り、より一層埃の進入が防止できる効果が得られる。
【００５５】
また、前記延長配管の断熱材の径が変わった場合に対応するよう前記ドレン受け部材の切り欠きにスリットを設けたので、延長配管の断熱材の径が変わった場合にも対応することができ、埃の進入を防止できる効果が得られる。
【００５６】
また、前記ドレン受け部材のある面に室内機の吊りボルトを配置したので、作業スペースの共用化が図れる効果が得られる。
【００５７】
また、前記ドレン受け固定部材のある面に室内機の吊りボルトを配置したので、作業スペースの共用化が図れる効果が得られる。
【００５８】
また、前記ケーシングは前記継ぎ手固定部材との固定部位に突座面を設けたので、継ぎ手固定部材からケーシングへの熱伝導を小さくとどめ、ケーシングから室内機外郭部材への熱伝導も抑えることが出来る効果が得られる。
【００５９】
また、前記ケーシングは前記継ぎ手固定部材との固定部位直上部が室内機本体外郭部材に接触しないよう構成したので、ケーシングから室内機外郭部材への熱伝導を抑えることが出来る効果が得られる。
【００６０】
また、前記継ぎ手固定部材は継ぎ手の直上以外で前記ケーシングにねじ止め固定されるので、冷媒配管継ぎ手を傷つけることなく容易に作業が出来る効果が得られる。
【図面の簡単な説明】
【図１】  この発明の実施の形態１による天井カセット形エアコンの室内機の据付斜視図。
【図２】  この発明の実施の形態１による天井カセット形エアコンの室内機の分解斜視図。
【図３】  この発明の実施の形態１による天井カセット形エアコンの室内機の部分断面図。
【図４】  この発明の実施の形態２による天井カセット形エアコンの室内機のドレン受け固定部材の斜視図。
【図５】  この発明の実施の形態３による天井カセット形エアコンの室内機のドレン受け部材の正面図。
【図６】  この発明の実施の形態４による天井カセット形エアコンの室内機のケーシングと継ぎ手固定部材の斜視図。
【図７】  この発明の実施の形態５による天井カセット形エアコンの室内機の部分断面図。
【図８】  この発明の実施の形態６による天井カセット形エアコンの室内機の冷媒配管継ぎ手と継ぎ手固定材を真下から見た図。
【図９】  従来の天井カセット形エアコンの室内機の据付斜視図。
【図１０】  図９のＡ−Ａ断面で一部切断した従来の天井カセット形エアコンの室内機の一部断面図。
【図１１】  図９のＢ−Ｂ断面の天井カセット形エアコンの室内機の断面図。
【符号の説明】
１  天井カセット形エアコンの室内機、  ２  熱交換器、  ３  室内ファン、４  室内機外郭部材、  ５  ドレンパン、  ６  電気品、  ７  遮蔽板、  ８吊りボルト、  ９  凹部、  １０  冷媒配管継ぎ手、  １１  ねじ、  １２  くぼみ部、  １３  吹出口、  １４  吸込口、  １５  シール部材、  １６  ドレン受け部材、  １７  屋根形状、  １８  継ぎ手固定部材、  １９  ケーシング、  ２０  ドレン受け固定部材、  ２１  延長配管、  ２２  断熱材、  ２３断熱材固定バンド、  ２４  表示、  ２５  傾斜、  ２６  Ｕ字形切り欠き、２７  Ｕ字形スリット、  ２８  突座面、  ２９  ねじ止め部、  ３０  断熱材。
【図１】
0003820801.tif 000002
【図２】
0003820801.tif 000003
【図３】
0003820801.tif 000004
【図４】
0003820801.tif 000005
【図５】
0003820801.tif 000006
【図６】
0003820801.tif 000007
【図７】
0003820801.tif 000008
【図８】
0003820801.tif 000009
【図９】
0003820801.tif 000010
【図１０】
0003820801.tif 000011
【図１１】
0003820801.tif 000012